(57)【要約】【課題】第１の規格の中密度記録規格と、高密度の第２の規格の高密度記録規格との両方の規格に対して互換的に再生が可能な光ディスクを提供する。【解決手段】第１の規格に準拠したピット列の形成された第１のピット列５８上に反射膜６０を設けてなる第１の情報記録層５０を一面に有する第１の基板５２と、第１の規格よりも高密度である第２の規格に準拠したピット列の形成された第２ピット列６２上に半透明な光学膜６４を設けてなる第２の情報記録層５４を一面に有する透明な第２の基板５６と、第２の情報記録層上に形成した透明な保護層１０と、第１の基板の前記第１情報記録層を設けた面と第２の基板の第２情報記録層を設けた面とは反対側の面とを対向させた状態で貼り合わせて接合する透明な接着層２４とを備え、保護層側から第１及び第２の光である読み出し用のレーザ光を照射して第１又は第２の情報記録層から選択的に読み出す。【選択図】図１
2007184043.tif 000002
【特許請求の範囲】
【請求項１】
第１の基板と、
前記第１の基板の一面側に形成され第１の規格に準拠した第１のピット列と、該第１のピット列を覆い所定範囲の波長を有する第１の光を反射する反射膜と、からなる第１の情報記録層と、
該第１の情報記録層上に形成され前記第１の光を透過する接着層と、
該接着層に一面側が接着され前記第１の光を透過する第２の基板と、
該第２の基板の他面側に形成され前記第１の規格よりも高密度の第２の規格に準拠した第２のピット列と、該第２のピット列を覆い前記第１の光を透過すると共に前記第１の光よりも短波長側の所定範囲の波長を有する第２の光を反射する光学膜とからなる第２の情報記録層と、
該第２の情報記録層上に形成され前記第１の光及び前記第２の光を透過する保護層と、
を有し、
前記保護層の上面側からレーザ光を照射して前記第１及び第２の情報記録層に記録された各情報を選択的に読み出すようにしたことを特徴とする光ディスク。
【請求項２】
前記第１及び第２のピット列は、凹形状及び凸形状のいずれかの形状を有する複数のピットからなることを特徴とする請求項１記載の光ディスク。
【請求項３】
第１の基板の一面側に、第１の規格に準拠した第１のピット列と、該第１のピット列を覆い所定範囲の波長を有する第１の光を反射する反射膜とを形成して第１の情報記録層とする第１情報記録層形成工程と、
該第１の情報記録層上に前記第１の光を透過する接着層を形成する接着層形成工程と、
前記第１の光を透過する第２の基板の一面側に、前記第１の規格よりも高密度の第２の規格に準拠した第２のピット列と、該第２のピット列を覆い前記第１の光を透過すると共に前記第１の光よりも短波長側の所定範囲の波長を有する第２の光を反射する光学膜とを形成して第２の情報記録層とする第２情報記録層工程と、
該第２の情報記録層上に前記第１の光及び前記第２の光を透過する保護層を形成する保護層形成工程と、
前記第１の基板と前記第２の基板とを、前記第１の基板上に形成された前記接着層と第２の基板の他面とが接着するように貼り合わせる貼り合わせ工程と、
を有することを特徴とする光ディスクの製造方法。
【発明の詳細な説明】
【技術分野】
【０００１】
本発明は、光ディスク及びその製造方法に係り、特に、記録密度の異なる規格からなる複数の情報記録層を有した光ディスク及びその製造方法に関するものである。
【背景技術】
【０００２】
マルチメディア等の興隆に伴い、デジタル動画のような大容量の情報を取り扱う要請が生じており、大容量の情報を蓄積可能な光記録媒体（光ディスク）の要求が高まっている。そして、この光記録媒体（光ディスク）の記録容量に対する要求は、ますます大容量化の方向へ進んでいる。例えば、ＣＤ（Ｃｏｍｐａｃｔ  Ｄｉｓｃ）の記録容量は、６５０ＭＢ（メガバイト）レベルであったが、ＤＶＤ（Ｄｉｇｉｔａｌ  Ｖｅｒｓａｔｉｌｅ  Ｄｉｓｃ）の登場により、その記憶容量は４．７ＧＢ（ギガバイト）レベルにまで拡大され、ＳＤ（Ｓｔａｎｄａｒｄ−Ｄｅｆｉｎｉｔｉｏｎ）のデジタル動画像が記録できるようになった。
【０００３】
現在では、光源の短波長化により２５ＧＢレベルと大容量で高解像度なＨＤ（Ｈｉｇｈ−ｄｅｆｉｎｉｔｉｏｎ）のデジタル動画像の記録が可能なＢｌｕ−ｒａｙ−Ｄｉｓｃが本格的に商品化されようとしている。図４は次世代の高密度記録用の光ディスクを示す断面図である。この図４に示す次世代高密度記録用の光ディスクは、適当な高密度ディスク用の基板２を有しており、この基板２の最表面にピット列４が形成され、ＤＶＤと同様に、アルミニウム（Ａｌ）等の金属薄膜からなる反射膜６を堆積して、高密度の情報記録層８としている。
【０００４】
そして、高密度の情報記録層８の形成後、厚さ９０〜１０５μｍ程度の保護層（シート等を使用）１０を高密度の情報記録層８の上に設けている。図４に示す次世代高密度記録用光ディスクの再生時は、保護層１０側より、第２の光である波長λ＝４０５ｎｍ帯のレーザ光（高密度情報記録層読取り光）ＬＡ１を、開口数（ＮＡ）＝０．８５程度の対物レンズ１２を用いて集光して照射し、反射光から高密度の情報記録層８に記録された情報を読取る。図４に示す次世代高密度記録規格の光ディスクでは、主に基板の傾きによる収差発生を防止する目的から、読取り時に透過する媒体、即ち保護層１０の厚さｔｐを、９５から１０５μｍ程度に薄くしている。即ち、厚い基板２を高密度情報記録層読取り用のレーザ光ＬＡ１が透過しない光学的設計がなされた構造が複数提案されている。
【０００５】
図４に示す次世代高密度記録用光ディスクのレベルの高密度光記録媒体が市販されるようになれば、現在のＤＶＤは中密度光記録媒体とみなされるであろう。そして、市場には、音楽情報が主に記録されているＣＤ等の低密度光記録媒体、SD解像度の画像が記録されているＤＶＤなどの中密度光記録媒体、及び上記のようなHD解像度の画像が記録される高密度光記録媒体が混在し、複数の規格が併存する状況となるであろうと予測される。
【０００６】
図５は従来のＤＶＤ単層光ディスクの概略構造を示す断面図である。図５に示すように、ＤＶＤ用の光ディスクは、厚さ０．６ｍｍ、直径１２ｃｍの透明基板よりなる第１の基板１４を有しており、この第１の基板１４の表面にピット列１６を形成し、更にＡｌ等の全反射の反射膜１８を配置して情報記録層２０を形成している。尚、本明細書においては、以後、ＤＶＤ相当の情報記録層を「中密度情報記録層」と呼ぶこととする）。更に、この第１の基板１４と、厚さｔｄ＝０．６ｍｍ、直径１２ｃｍの平板よりなる第２の基板２２とを接着層２４を介して貼り合わせ、ＤＶＤが組み立てられている。
【０００７】
この貼り合わせにより、ＤＶＤの全体の光ディスクの厚さは、ＣＤと同じ１．２ｍｍとなる。図５に示すＤＶＤ光ディスクを再生する時は、ピット列１６を形成した第１の基板１４の裏面側から、第１の光である波長λ＝６５０ｎｍ帯のレーザ光（中密度情報記録層読取り光）ＬＡ２を、ＮＡ＝０．６程度の対物レンズ２６を用いて集光して照射し、その反射光からピット列１６に記録された情報を読み取る。
【０００８】
図６は従来のＤＶＤ２層光ディスクの概略構造を示す断面図である。この図６に示すＤＶＤ２層光ディスクの場合は、図５に示した上側の第１の基板１４だけでなく、下側の第２の基板２２の表面にも、ピット列２８と反射膜３０とを形成して第２の情報記録層３２とする。第１の基板１４側の第１の情報記録層２０の反射膜１８はここでは半透明反射膜とし、第２の基板２２側の第２の情報記録層３２の反射膜３０にはＣＤ等と同様の全反射膜を形成し、透明な接着層２４を介して両基板の貼り合わせを行なう。
【０００９】
この際の２層の間隔Δｄを５５±１５μｍに厳密に設定する必要がある。再生時は、半透明反射膜を形成した第１の基板１４の側から、波長６５０ｎｍ帯のレーザ光ＬＡ２を用いた情報記録層読取り光を、ＮＡ＝０．６程度の対物レンズ２６で集光させ、反射光から、第１及び第２の情報記録層２０、３２に記録された情報を選択的に得る。第１及び第２の情報記録層２０、３２とも、対物レンズ２６のフォーカシング動作で層選択を行なうことで、再生可能である。結局、ＤＶＤ２層光ディスクにおいて、下方の第２の基板２２を平板としたものが、図５に示すＤＶＤ単層光ディスクと考えることも可能である。
【００１０】
通常ＤＶＤの再生においては基準の情報記録層Ｌ０に、ディスクの物理情報やコピーマネジメント情報などが最内周のリードイン領域に記録されている。この情報を再生機器にて読み取りＤＶＤ１層光ディスクなのか、ＤＶＤ２層光ディスクなのかなどを判別して、実際のコンテンツの再生処理に入る。
さて、現在は、ＣＤ等の低密度光記録媒体とＤＶＤなどの中密度光記録媒体とが混在している。ユーザの取り扱いの煩雑さや再生装置の重複を避ける目的から、低密度記録規格と中密度記録規格の光ディスクを、同一再生装置で再生する技術も一部商品化されている。
【００１１】
このため、再生装置側では、複数の光源や、複数の基板厚さに適合する光学系が開発されてきた。同時に、光ディスク側でも、このような互換性実現のための試みが開始されている。例えば、「スーパー・オーディオＣＤ（ＳＡＣＤ）」として商品化され始めた言わば中密度音楽用ディスクでは、図７に示すような「ハイブリッドＳＡＣＤ」と称する多層構造の光ディスクが提案されている（特許文献１等参照）。図７は従来のＳＡＣＤ−ハイブリッド光ディスクの概略構造を示す断面図である。このハイブリッドＳＡＣＤ光ディスクは、ＤＶＤ単層のＬ０層基板（図５中の第１の基板１４）と同一の第１の基板１４と低密度情報記録層用の第２の基板３６の２枚の基板を貼り合わせ、中間に中密度の第１の情報記録層２０、最下層にＣＤ規格の低密度の情報記録層３８を設けることにより、再生装置の互換性を可能としている。
【００１２】
即ち、厚さｔＳ＝０．６ｍｍ、直径１２ｃｍの透明な第１の基板１４の表面にピット列１６を形成し、このピット列の上にここでは半透明の反射膜１８を堆積し、中密度の第１の情報記録層２０を形成している。更に、第１の基板１４と同様な、厚さ０．６ｍｍ、直径１２ｃｍの透明の第２の基板３６の表面にピット列４０を形成し、このピット列４０の上にはＣＤ等と同様の全反射の反射膜を堆積し低密度の情報記録層３８を形成している。またこの低密度の情報記録層３８の表面に保護層１０を形成している。そして、第１の基板１４及び第２の基板３６を透明な接着層２４で貼り合わせて、光ディスクを形成している。
【００１３】
２枚の基板を貼り合わせている点では、図５に示したＤＶＤ単層光ディスクや図６に示したＤＶＤ２層光ディスクと基本的に同じである。ただし、ハイブリッドＳＡＣＤ光ディスクでは、下方の第２の基板３６の最下部に低密度の情報記録層３８が位置するようにし、上方の第１の基板１４の最下部に中密度の情報記録層２０が位置するようにし、それぞれの基板の方向を合わせている。こうして、最下部の低密度の情報記録層３８は、ＣＤ規格に準拠したピット列４０が形成され、ディスクの中央部には中密度の情報記録層２０が形成されている。
【００１４】
ＳＡＣＤとしての再生時は、半透明の反射膜１８を有する中密度の情報記録層２０を形成した第１の基板１４の側から、波長λ＝６５０ｎｍ帯のレーザ光（中密度情報記録層読取り光）ＬＡ２を、ＮＡ＝０．６程度の対物レンズ２６を用いて集光して照射し、反射光から中密度の情報記録層２０に記録された情報を読取る。即ち、図５に示すＤＶＤと同等の再生方法である。
【００１５】
一方、ＳＡＣＤとしての記録密度（情報量）は得られないものの、ＣＤとみなしての再生も可能である。この再生時は、第１の基板１４の側から、波長λ＝７８０ｎｍ帯のレーザ光（低密度情報記録層読取り光）ＬＡ３を、ＮＡ＝０．４５程度の対物レンズ４４を用いて低密度の情報記録層３８に集光して照射し、反射光から情報を読取る。
【００１６】
こうして、図７に示すハイブリッドＳＡＣＤ光ディスクを、ＣＤ再生装置を用いて再生すれば、ハイブリッドＳＡＣＤを通常のＣＤとみなしての再生が可能となる。このように、ハイブリッドＳＡＣＤ方式を用いれば、同一コンテンツを、従来のＣＤと、ＳＡＣＤ（高品位音響）の２種の方式で１枚の光ディスクに格納出来るため、この光ディスクのみ購入することで、他の広く普及した従来のＣＤ再生装置でも互換再生が可能であるという利点を有する。このため、消費者は、どの規格の再生装置であるかを問わずに、同一コンテンツは１枚の購入で済ませることが可能となる。
【００１７】
【特許文献１】特開平９−７１７５２号公報
【発明の開示】
【発明が解決しようとする課題】
【００１８】
ところで、高密度・大容量化の更なる要求から、現在のＤＶＤ規格よりも更に高密度の次世代高密度記録規格が登場すると、現在のＤＶＤ相当の中密度記録規格に加え、高密度記録規格の規格が加わることになる。従って、再生装置が複雑化するのみならず、従来普及しているＤＶＤ再生装置のみを保有するユーザに対するコンテンツ供給を妨げる恐れが生ずる。また流通の面から同一のコンテンツにおいて記録されている画像の解像度の違いによって２種類の光ディスクを用意しなければならず、保管場所、運送費等にも無駄が生じてしまう。
【００１９】
上述したようなＣＤ規格とＤＶＤ規格のディスクが併存する状況に対応した再生互換の問題は、現在のＤＶＤ規格が中密度記録規格とみなされるであろう次世代の高密度記録規格が実用化される際にも当然予想される状況である。即ち、近い将来、ＤＶＤ規格と、ＤＶＤ規格よりも高密度の光ディスク規格（高密度記録規格）、例えばＢＤ用の規格との再生互換の問題が現実化すると予想される。従って、次世代高密度記録規格（高密度記録規格）とＤＶＤ規格（中密度記録規格）との両者が再生可能なディスク構造が課題となっている。
【００２０】
またＤＶＤ規格では図６に示すＤＶＤ２層光ディスク、図５に示すＤＶＤ単層光ディスクでは、再生用のレーザ光の入射側から見て手前に位置するＬ０層を基準としていることから、図８に示すように、一方の基板、例えば第１の基板１４の両面にそれぞれ情報記録層を設けた場合、すなわち、第１の基板１４のレーザ光入射側の面に情報記録層８を設け、反対側の面に情報記録層２０を設けた構造にすると、再生用のレーザ光の入射側から見て手前の基板に高密度記録規格の情報とＤＶＤ規格（中密度記録規格）のＬ０層の情報を両面に記録する必要があり、例えば、特開２００２−２１６３９１号公報において、厚さ０．５ｍｍの基板に中密度のピット列と高密度のピット列を両面成形する提案がなされているが、この場合には、成形後に別々に両面に半透明膜と反射膜をスパッタ装置で成膜しなければならず、ハンドリングの問題や一時的に保護カバーを設けなければならず、安価に生産する方法が難しくなる、という問題があった。
【００２１】
本発明は、以上のような問題点に着目し、これを有効に解決すべく創案されたものである。本発明の目的は、第１の規格、例えばＤＶＤ規格等の中密度記録規格と、これよりも高密度の第２の規格、例えばＢＤ規格等の高密度記録規格との両方の規格に対して互換的に再生が可能な光ディスク及びその製造方法を提供することにある。
【課題を解決するための手段】
【００２２】
請求項１に係る発明は、第１の基板と、前記第１の基板の一面側に形成され第１の規格に準拠した第１のピット列と、該第１のピット列を覆い所定範囲の波長を有する第１の光を反射する反射膜と、からなる第１の情報記録層と、該第１の情報記録層上に形成され前記第１の光を透過する接着層と、該接着層に一面側が接着され前記第１の光を透過する第２の基板と、該第２の基板の他面側に形成され前記第１の規格よりも高密度の第２の規格に準拠した第２のピット列と、該第２のピット列を覆い前記第１の光を透過すると共に前記第１の光よりも短波長側の所定範囲の波長を有する第２の光を反射する光学膜とからなる第２の情報記録層と、該第２の情報記録層上に形成され前記第１の光及び前記第２の光を透過する保護層と、を有し、前記保護層の上面側からレーザ光を照射して前記第１及び第２の情報記録層に記録された各情報を選択的に読み出すようにしたことを特徴とする光ディスクである。
【００２３】
この場合、請求項２に規定するように、前記第１及び第２のピット列は、凹形状及び凸形状のいずれかの形状を有する複数のピットからなる。
請求項３に係る発明は、第１の基板の一面側に、第１の規格に準拠した第１のピット列と、該第１のピット列を覆い所定範囲の波長を有する第１の光を反射する反射膜とを形成して第１の情報記録層とする第１情報記録層形成工程と、該第１の情報記録層上に前記第１の光を透過する接着層を形成する接着層形成工程と、前記第１の光を透過する第２の基板の一面側に、前記第１の規格よりも高密度の第２の規格に準拠した第２のピット列と、該第２のピット列を覆い前記第１の光を透過すると共に前記第１の光よりも短波長側の所定範囲の波長を有する第２の光を反射する光学膜とを形成して第２の情報記録層とする第２情報記録層工程と、該第２の情報記録層上に前記第１の光及び前記第２の光を透過する保護層を形成する保護層形成工程と、前記第１の基板と前記第２の基板とを、前記第１の基板上に形成された前記接着層と第２の基板の他面とが接着するように貼り合わせる貼り合わせ工程と、を有することを特徴とする光ディスクの製造方法である。
【００２４】
本発明は、第１の規格である例えばＤＶＤ規格の情報記録層を第１の基板に成形し、所望の厚さでＤＶＤよりも高密度の第２の規格である次世代高密度記録規格、例えばＢＤ規格の情報記録層を第２の基板に成形し、これらの両基板を貼り合わせることで容易に実現でき、低コスト化が容易な複数規格に対して互換再生可能な光ディスクとなる。
【００２５】
例えば、「第１の情報記録層」は、ＤＶＤ規格の「中密度情報記録層」とし、「第２の情報記録層」は、ＤＶＤ規格よりも高密度の次世代高密度記録規格の「高密度情報記録層」とすることが出来る。この場合は、第１の情報記録層に記録された情報を読み出すための第１波長のレーザ光は、「中密度情報記録層読取り光」、第２の情報記録層に記録された情報を読み出すための第２波長のレーザ光は、「高密度情報記録層読取り光」と定義することが可能である。また、本発明において、「ピット列」とは、トラック案内溝及び記録ピットからなる凹凸形状を有する部分である。例えば、第１波長は６３０〜６７０ｎｍの範囲の波長に選び、第２波長は３９０〜４３０ｎｍの範囲の波長に選ぶことが可能である。
【００２６】
より具体的には、第１波長λ１＝約６５０ｎｍのレーザ光と、第２波長λ２＝約４０５ｎｍのレーザ光とのように、互いの波長が大きく異なるように、それぞれの波長を選択することが出来る。このため、第１波長λ１＝約６５０ｎｍ帯のレーザ光を透過し、第２波長λ２＝約４０５ｎｍ帯のレーザ光を高反射率にするような波長選択性を持つ波長選択膜の作製は、第１波長λ１及び第２波長λ２が互いに大きく異なるため、誘電体多層膜等を用いれば容易に実現出来る。例えば、波長選択膜が第１波長λ１の光を５０％以上透過するように構成することは容易に可能である。
【発明の効果】
【００２７】
本発明の光ディスク及びその製造方法によれば、第１の規格である例えばＤＶＤ規格、及び第２の規格である例えば次世代高密度記録規格（ＢＤ規格等）に対応させ、この２規格で再生可能な光ディスクを容易に実現することが出来る。従って、現行の放送標準画質ＳＤ（中密度記録規格）と、高精細放送品位ＨＤ（次世代高密度記録規格）の両方で、同一のコンテンツが記録された光ディスクを容易に作製することができる。
また、次世代高密度記録用光ディスク再生装置（次世代高密度記録再生装置）を有しないユーザでも、中密度記録規格のＤＶＤ再生装置での再生が可能であり、再生装置を問わないコンテンツ流通が可能となる。
【発明を実施するための最良の形態】
【００２８】
次に、図面を参照して、本発明に係る光ディスク及びその製造方法の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。従って、具体的な厚みや寸法は以下の説明を参照して判断すべきものである。また図面相互間においても互いの寸法の関係や比率が異なる部分が含まれていることは勿論である。
【００２９】
図１は本発明に係る光ディスクの概略構造を示す断面図、図２は本発明に係る光ディスクの製造工程を示す説明図、図３はピット列を構成するピットの形状を示す概略斜視図である。
図１に示すように、本発明に係る実施例１の光ディスクＤ１は、第１の情報記録層５０を一面に有する第１の基板５２と、第２の情報記録層５４を一面に有する透明な第２の基板５６とを、透明な接着層２４により貼り合わせて形成されている。この場合、上記第２の情報記録層５４の表面には、透明な保護層１０が形成されており、上記第１の基板５２の第１の情報記録層５０を設けた面と、上記第２の基板５６の上記第２の情報記録層５４を設けた面とは反対側の面とを対向させた状態で上記両基板５２、５６が貼り合わせて接合されている。
【００３０】
上記第１の情報記録層５０は、第１の基板５２の表面に形成した第１の規格に準拠したピット列よりなる第１のピット列５８と、この第１のピット列５８上に形成した反射膜６０とにより主に構成されている。この反射膜６０としては好ましくは全反射膜を用いる。
また上記第２の情報記録層５４は、第２の基板５６の表面に形成した第２の規格に準拠したピット列よりなる第２のピット列６２と、この第２のピット列６２上に形成した光学膜としての半透明反射膜６４とにより構成されている。尚、この光学膜６４は、後述する第１の光を透過すると共にこの第１の光よりも短波長側の所定範囲の波長を有する第２の光を反射するものである。
【００３１】
ここで前述したように上記第１の規格は例えばＤＶＤ規格を用い、上記第２の規格は例えば次世代高密度記録規格（ＢＤ用規格）を用いる。上記第１の情報記録層５０には、例えばＤＶＤ−ＲＯＭ規格のＬ０層の情報を記録しておく。読取り用のレーザ光は、上記第２の基板５６の保護層１０側の面より行われる。例えば第１の情報記録層５０の読み取りは、開口数０．６の対物レンズ２６を用い、第１の光として第１波長が、６３０〜６７０ｎｍの範囲内、例えば６５０ｎｍのレーザ光ＬＡ２により行う。また第２の情報記録層５４の読み取りは、開口数０．８５の対物レンズ１２を用い、第２の光として第２波長が、３９０〜４３０ｎｍの範囲内、例えば４０５ｎｍのレーザ光ＬＡ１により行う。
【００３２】
上記第１の基板５２は、０．６ｍｍの厚さを有する。第１の基板５２に用いる基板としては、ポリカーボネート樹脂よりなるプラスチック基板が好適である。上記第１ピット５８とは、第１記録ピット列からなる凹部もしくは凸部形状を有する面である。図３（Ａ）はピットＰが凹部形状の場合を示し、図３（Ｂ）はピットＰが凸部形状の場合を示している。第１のピット列５８は、ＤＶＤ規格に準拠したピット列を構成すれば良い。この第１のピット列５８上に形成される全反射膜６０は、第１波長λ１の光に対して例えば４５％以上の反射率を有し、好ましくは、アルミニウム（Ａｌ）、金（Ａｕ）等の金属薄膜からなる。
【００３３】
第２の基板５６は、０．４０〜０．５０ｍｍの厚さである。上記第２のピット列６２とは、凹部もしくは凸部形状を有する第２記録ピット列からなり、第１のピット列５８よりも高密度に形成されている。即ち、第２ピット列のトラックピッチは第１ピット列のトラックピッチよりも小さく形成され、第２記録ピットの光学密度は、第１記録ピットの光学密度よりも高密度に形成されている。この第２のピット列６２は、例えば、次世代高密度記録規格の第２トラック案内溝及び第２記録ピットを有する。この場合は、例えば、トラックピッチ０．３２μｍ、最短ピット長０．１５μｍに選べば良い。この第２のピット列６２上に形成される半透明反射膜６４は、第１波長λ１よりも短かい第２波長λ２の光に対して１２％以上の反射率を有する半透明反射膜とする。
【００３４】
上記保護層１０は、第１波長λ１と第２波長λ２の光に対して透明な材料から構成され、厚さ９５μｍ乃至１０５μｍである。この保護層１０としては紫外（ＵＶ）線硬化樹脂等を使用出来る。また接着層２４は、少なくとも上記第１波長λに対して透明な材料、例えば紫外線硬化樹脂等を用いることができる。
【００３５】
上述のように形成した光ディスクＤ１の記録情報は、以下のようにして再生する。
まず、ＤＶＤ光ディスクとして再生する時は、波長λ＝６５０ｎｍ帯のレーザ光（中密度情報記録層読取り光）ＬＡ２を保護層１０側より、ＮＡ＝０．６程度の対物レンズ２６を照射して第２の情報記録層（高密度情報記録層）５４、第２の基板５６、接着層２４を経由して、第１の情報記録層（中密度情報記録層）５０に集光し、これより反射した反射光を受けることによって情報を読取る。
また次世代高密度記録用光ディスクとして再生する時は、同様に保護層１０側より、波長λ＝４０５ｎｍ帯のレーザ光（高密度情報記録層読取り光）ＬＡ１をＮＡ＝０．８５程度の対物レンズ１２を用いて照射し、第２の情報記録層（高密度情報記録層）５４に集光し、これより反射した反射光を受けることによって情報を読取る。
【００３６】
本発明の上記光ディスクＤ１は以下のような製造工程で製造出来る。以下、図２も参照して説明する。
まず厚さ５ｍｍ以上、直径２００ｍｍ以上のガラス原盤を超純水と酸化セリウムを用いて研磨、洗浄を行い、密着剤を介して、スピンコート法により、クレゾールノボラック樹脂及びベンゾフェノンエステルからなるフォトレジストを再生装置で使用するレーザ光の波長の１／３程度の厚みで均一にスピン法を用いて塗布する。その後６０から８０℃程度のホットプレートもしくは恒温槽でベーキングを行い、有機溶媒を飛ばす。この処理でフォトレジストの厚みは再生装置で使用するレーザ光の波長の１／５程度になる。フォトレジストはポジ型でもネガ型でも構わないが、本実施例ではポジ型を使用した。この原盤をＵＶ領域以下の波長のレーザビームレコーダでそれぞれの規格で決められた情報に変換したピット列をスパイラル状に露光感光させ、感光した部分をアルカリ現像液で除去し凹部形状のピット列を得る。
【００３７】
次に、このフォトレジスト上に、スパッタリング法等により、ニッケル等の導電膜を形成し、更に、この導電膜を電極とし、ニッケルを所定の厚さにめっきをする。これにより、フォトレジストの逆パタ−ンの凸状のピット列が、ニッケルに写し取られる。次に、このニッケルを、ガラス基板より剥離して、マスタスタンパとする。さらにこのマスタスタンパに電解処理などで剥離処理を行った後、ニッケルを所定の厚さにめっきをすることでマスタスタンパと逆形状の凹部形状のピット列のあるマザースタンパが得られる。さらにニッケルを所定の厚さにめっきをすることでマスタスタンパと同形状で凸部形状のピット列のあるベビースタンパが得られる。通常ＤＶＤ−ＲＯＭはこのベビースタンパか、マスタースタンパを金型に取り付けて、ポリカーボネート樹脂を射出成形して光ディスクの基板を作る。この場合、ピット列は使用したスタンパと逆形状のピット列、この場合は基板から見て凹形状のピット列ができることになる。
【００３８】
このように第１の規格としてＤＶＤ規格に準拠した第１のピット列５８を形成した厚さｔd＝０．６ｍｍ、直径１２ｃｍの第１の基板５２、及び厚さｔd＝０  ．４７ｍｍ、第２の規格として次世代高密度記録規格に準拠した第２のピット列６２を形成した直径１２ｃｍの第２の基板５６の２枚を用意する。これらのポリカーボネート樹脂からなるプラスチック基板は先に説明した射出成形によって形成される。この第１のピット列５８の上に、真空蒸着やスパッタリング法により、アルミニウム（Ａｌ）、金（Ａｕ）等の金属薄膜６０を堆積し全反射膜を構成し、第１の情報記録層（中密度情報記録層）５０を形成する。
【００３９】
上記と同様に、第２の基板５６の一面に、次世代高密度記録規格に準拠したトラックピッチ０．３２μｍで最短マーク長０．１５μｍの１−７変調された信号からなる２５ＧＢ相当の第２のピット列６２が形成される。この第２のピット列６２の上に、スパッタリング法により、アルミニウム（Ａｌ）、金（Ａｕ）等の金属薄膜もしくはＳｉ、ＳｉＯ２ 、ＳｉＮ，ＳｉＨ、ＳｉＣ、ＴｉＯ２ 、ＺｎＳ−ＳｉＯ２ などを堆積し、ＤＶＤの記録再生波長６５０ｎｍにおける透過率が５０％以上、次世代高密度記録の再生に使用される波長４０５ｎｍの反射率が１２％以上の半透明反射膜６４を形成して、第２の情報記録層（高密度情報記録層）５４を構成する。そして、第２の情報記録層（高密度情報記録層）５４の上に、ＵＶ硬化樹脂の塗布後に透明シートを貼り合せたりすることにより、保護層１０を１００μｍの厚さで形成する。
【００４０】
そして、第２の基板５６の最上部に第２の情報記録層（高密度情報記録層）５４の第２のピット列６２が位置し、下方の第１の基板５２の上面、即ち両基板の中間に、第１の情報記録層（中密度情報記録層）５０が位置するように、上記第１の基板５２と第２の基板５６とを透明な接着層２４で貼り合わせる。
【００４１】
第１の基板５２と第２の基板５６とを接着層２４で貼り合わせる厚さは、第２の基板５６と保護層１０と接着層２４の合計の厚みが０．６ｍｍになるようにすれば良く、保護層１０が０．１ｍｍ、第２の基板５６の厚みが０．４７ｍｍの場合、接着層２４の厚みは０．０３ｍｍとなる。この接着層２４の厚みは厚くなるほど厚み誤差が生じるので、０．００２ｍｍからＤＶＤ２層の接着厚み規格上限の０．０６５ｍｍの範囲が望ましい。また、第２の基板５６の厚みの範囲は０．４３〜０．５ｍｍの範囲が望ましい。
【００４２】
本発明の上記光ディスクＤ１を、ＤＶＤ再生装置にて再生した結果、問題なくディスクを認識し、再生することができた。また次世代高密度情報記録層も４０５ｎｍの波長とＮＡ０．８５の対物レンズを用いたパルステック社製光ディスク評価機ＤＤＵ−１０００にて７％のジッタで再生することができた。
【００４３】
本発明の実施例２ではレーザビームレコーダを上記実施例１とは逆に回転させながらスパイラル状にピット列を露光感光させ、同様にスタンパを作成した。この実施例２ではピット列が凹部形状のマザースタンパを用いてピット列が凸部形状のポリカーボネートにて厚み０．６ｍｍの第１の基板を射出成形にて作成した。この場合ピット列は再生に用いるレーザ光から見て半時計方向で内周から外周へのスパイラル方向となり実施例１と同じ方向になる。また第２の基板は実施例１と同じ基板を用い、実施例１と同様に反射膜を付着させ貼り合わせた。ＤＶＤ再生装置にて再生した結果、問題なくディスクを認識し、再生することができた。
【００４４】
例えばＮＴＳＣ現行放送品位と、高精細放送品位の両方で同一のコンテンツが記録された光ディスクが容易に作製可能である。従って、ダウンコンバートや、青色ＬＤを用いた次世代高密度記録用光ディスク再生装置を有しないユーザでも、ＤＶＤ再生装置での第１の情報記録層（中密度情報記録層）５０に記録された情報の再生が可能であり、再生装置を問わないコンテンツ流通が可能である。
【００４５】
また、上記いずれの実施例でも第２のピット列６２のトラック案内溝のトラックピッチは第１のピット列５８のトラック案内溝のトラックピッチよりも小さく形成され、第２のピット列６２の記録ピットの光学密度は、第１のピット列５８の記録ピットの光学密度よりも高密度に形成されている。この第２のピット列６２は、例えば、次世代高密度記録規格のトラック案内溝及び記録ピットを有する。この場合は、トラックピッチが０．３２μｍ、最短ピット長が０．１５μｍである。第２のピット列６２の表面に堆積された波長選択膜は、第１波長λ１よりも短かい第２波長λ２の光を反射し、第１波長λ１の光を透過する光学的特性を有する。この第２の情報記録層（高密度情報記録層）５４に含まれる波長選択膜（半透明反射膜６４）は、例えば、第１波長λ１＝約６５０ｎｍ帯の中密度情報記録層読取り光であるレーザ光ＬＡ２と第２波長λ２＝約４０５ｎｍ帯の高密度情報記録層読取り光であるレーザ光ＬＡ１とに対して波長選択性を有する半透過膜となっている。即ち、第１波長λ１＝６５０ｎｍ帯のレーザ光ＬＡ２に対する透過率を所定値以上とし、第２波長λ２＝４０５ｎｍ帯のレーザ光ＬＡ１に対する反射率を所定値以上としている。
【００４６】
本発明に係る光ディスクは、この２層の再生に用いる光源は、第１波長λ１＝約６５０ｎｍ帯の中密度情報記録層読取り光であるレーザ光ＬＡ２と第２波長λ２＝約４０５ｎｍ帯の高密度情報記録層読取り光であるレーザ光ＬＡ１で、波長が互いに大きく離れている。従って、第１波長λ１＝約６５０ｎｍ帯のレーザ光ＬＡ２を透過し、第２波長λ２＝約４０５ｎｍ帯のレーザ光ＬＡ１を高反射率にするような先の実施例にあげた材料を用いた波長選択性を持つ第２の情報記録層（高密度情報記録層）５４用の波長選択膜（半透明反射膜６４）の作製は、ハンドリングを含め十分容易である。従って、本発明に係る光ディスクは製造が容易で工業的に大きな利点を有する。従って、同一方向入射での２層再生でも、実施例１に匹敵する性能が期待出来ると考えられる。
【００４７】
また、同一方向からの読み取りゆえ、ディスク上面に従来と同様のレーベル層が形成可能である。また、実施例１に係る光ディスクと同様に、ＮＴＳＣ現行放送品位（中密度記録規格）と、高精細放送品位（次世代高密度記録規格）の両方で、同一のコンテンツが記録された光ディスクを容易に作製可能である。また、次世代高密度記録用光ディスク再生装置（次世代高密度記録再生装置）を有しないユーザでも、中密度記録規格のＤＶＤ再生装置での再生が可能であり、再生装置を問わないコンテンツ流通が可能となる。
【００４８】
上記のように、本発明の各実施例を記載したが、この開示の一部をなす論述及び図面はこの発明を限定するものであると理解すべきではない。この開示から当業者には様々な代替実施の形態、実施例及び運用技術が明らかとなろう。
【００４９】
本発明によれば、次世代高密度記録用光ディスクにおいて、第１の情報記録層（中密度情報記録層）と第２の情報記録層（高密度情報記録層）とを同一ディスクに設け、異なる２規格で再生可能なディスクを、従来の片面に情報記録層がある基板を貼り合わせる製法により、ディスク基板の同一方向から再生する構造としているので、簡単な装置で両層が再生可能であり、ディスクのレーベル面を従来通り確保することが可能である。
【００５０】
更に本発明によれば、第１の情報記録層（中密度情報記録層）、及び第２の情報記録層（高密度情報記録層）同一光ディスクに設け、２種の方式において、それぞれ再生が可能である。
更に本発明によれば、接着層等の中間層の厚さを含めて各層の厚さの制限が緩やかであり、所望の厚さを容易に実現できるので、高性能で且つ低コストの複数規格互換再生可能な光ディスクを提供することが可能である。従って、本発明によれば、再生装置を問わない、広範囲なコンテンツ供給が、安価且つ容易に可能である。
【図面の簡単な説明】
【００５１】
【図１】本発明に係る光ディスクの概略構造を示す断面図である。
【図２】本発明に係る光ディスクの製造工程を示す説明図である。
【図３】ピット列を構成するピットの形状を示す概略斜視図である。
【図４】次世代の高密度記録用の光ディスクを示す断面図である。
【図５】従来のＤＶＤ単層光ディスクの概略構造を示す断面図である。
【図６】従来のＤＶＤ２層光ディスクの概略構造を示す断面図である。
【図７】従来のＳＡＣＤ−ハイブリッド光ディスクの概略構造を示す断面図である。
【図８】一方の基板の両面に情報記録層を設けた従来の２層光ディスクの概略構造を示す断面図である。
【符号の説明】
【００５２】
１０…保護層、１２…対物レンズ（ＢＤ用）、２４…接着層、２６…対物レンズ（ＤＶＤ用）、５０…第１の情報記録層、５２…第１の基板、５４…第２の情報記録層、５６…第２の基板、５８…第１のピット列、６０…反射膜（全反射膜）、６２…第２のピット列、６４…光学膜（半透明反射膜）、Ｄ１…光ディスク、ＬＡ１…レーザ光（ＢＤ用：第２の光）、ＬＡ２…レーザ光（ＤＶＤ用：第１の光）、ＬＡ３…レーザ光（ＣＤ用）。
【図１】
2007184043.tif 000003
【図２】
2007184043.tif 000004
【図３】
2007184043.tif 000005
【図４】
2007184043.tif 000006
【図５】
2007184043.tif 000007
【図６】
2007184043.tif 000008
【図７】
2007184043.tif 000009
【図８】
2007184043.tif 000010